(57)【要約】【課題】適切な撮像条件で被写体を撮像できるようユーザを支援する。【解決手段】電子機器（１０）は、ユーザに装着される撮像部（１０１）と、前記撮像部の出力から、被写体の撮像条件の設定に使用される被写体情報を取得する情報取得部（１１２）と、前記情報取得部により取得した前記被写体情報を外部機器（２０）に送信する送信部（１１１，１１２）と、を備える。【選択図】図１
2015139169.tif 000002
【特許請求の範囲】
【請求項１】
ユーザに装着される撮像部と、
前記撮像部の出力から、被写体の撮像条件の設定に使用される被写体情報を取得する情報取得部と、
前記情報取得部により取得した前記被写体情報を外部機器に送信する送信部と、
を備える電子機器。
【請求項２】
前記撮像部は、ユーザが見ている方向を撮像する請求項１に記載の電子機器。
【請求項３】
前記ユーザの視線を検出する視線検出部を備え、
前記情報取得部は、前記視線検出部が検出した前記ユーザの視線と、前記撮像部の出力とから、前記被写体情報を取得する請求項２に記載の電子機器。
【請求項４】
前記被写体情報の送信要求を受信する受信部を備え、
前記送信部は、前記受信部が前記送信要求を受信した場合に、前記被写体情報を前記外部機器に送信する請求項１から３のいずれか一項記載の電子機器。
【請求項５】
前記情報取得部は、前記ユーザから前記被写体までの距離情報を前記被写体情報として取得する請求項１から４のいずれか一項記載の電子機器。
【請求項６】
前記情報取得部は、前記被写体の撮影に用いられるシャッタスピード値、絞り値、及びＩＳＯ感度の少なくとも１つを設定するための情報を前記被写体情報として取得する請求項１から５のいずれか一項記載の電子機器。
【請求項７】
前記情報取得部は、前記被写体の種類を前記被写体情報として取得する請求項１から６のいずれか一項記載の電子機器。
【請求項８】
前記情報取得部は、前記撮像部が撮像した画像に含まれる文字から、前記被写体情報を取得する請求項１から７のいずれか一項記載の電子機器。
【請求項９】
被写体を撮像する撮像部と、
ユーザが見ている方向の撮像結果から得た前記被写体の撮像条件の設定に使用される被写体情報を外部機器から受信する受信部と、
前記受信部で受信した前記被写体情報に基づいて、前記撮像部による前記被写体の撮像条件を設定する撮像条件設定部と、
を備える撮像装置。
【請求項１０】
前記撮像条件設定部は、前記被写体情報に基づいて、前記撮像部の合焦位置及び撮像倍率の少なくとも一方を設定する請求項９記載の撮像装置。
【請求項１１】
前記撮像装置に対する前記ユーザの所定の動作又は操作を検出する検出部と、
前記検出部により前記ユーザの所定の動作又は操作が検出された場合に、前記外部機器に前記被写体情報の送信を要求する要求部と、を備える請求項９又は１０に記載の撮像装置。
【請求項１２】
前記検出部は、前記撮像装置の電源を入れる操作と、前記ユーザの撮像に関連する動作との少なくとも一方を検出する請求項１１に記載の撮像装置。
【請求項１３】
前記受信部は、前記ユーザから前記被写体までの距離情報を前記被写体情報として受信する請求項９から１２のいずれか一項記載の撮像装置。
【請求項１４】
前記受信部は、前記被写体の撮影に用いられるシャッタスピード値、絞り値、及びＩＳＯ感度の少なくとも１つを設定するための情報を前記被写体情報として受信する請求項９から１３のいずれか一項記載の撮像装置。
【請求項１５】
前記受信部は、前記被写体の種類を前記被写体情報として受信する請求項９から１４のいずれか一項記載の撮像装置。
【請求項１６】
ユーザが見ている方向を撮像した画像を取得する画像取得部と、
前記画像から、被写体の撮像条件の設定に使用される被写体情報を取得する情報取得部と、
前記情報取得部により取得した前記被写体情報を外部機器に送信する送信部と、
を備える電子機器。
【発明の詳細な説明】
【技術分野】
【０００１】
本発明は、電子機器及び撮像装置に関する。
【背景技術】
【０００２】
従来より、携帯通信端末がサーバから取得した撮影推奨エリアや撮像条件等の情報を携帯通信端末から取得し、当該情報に基づいて撮像条件を自動的に設定するカメラが提案されている（例えば、特許文献１参照）。
【先行技術文献】
【特許文献】
【０００３】
【特許文献１】特開２０１０−１３００３７号公報
【発明の概要】
【発明が解決しようとする課題】
【０００４】
しかしながら、上記特許文献１では、携帯通信端末の現在位置に基づいて撮影推奨エリアや撮像条件等の情報を取得するため、撮影に活用できる情報が限られていた。
【０００５】
本発明は上記の課題に鑑みてなされたものであり、適切な撮像条件で被写体を撮像できるようユーザを支援する電子機器及び撮像装置を提供することを目的とする。
【課題を解決するための手段】
【０００６】
本発明の電子機器（１０）は、ユーザに装着される撮像部（１０１）と、前記撮像部の出力から、被写体の撮像条件の設定に使用される被写体情報を取得する情報取得部（１１２）と、前記情報取得部により取得した前記被写体情報を外部機器（２０）に送信する送信部（１１１，１１２）と、を備える。
【０００７】
この場合において、前記撮像部は、ユーザが見ている方向を撮像することとしてもよい。さらに、この場合において、電子機器は、前記ユーザの視線を検出する視線検出部（１０９）を備え、前記情報取得部は、前記視線検出部が検出した前記ユーザの視線と、前記撮像部の出力とから、前記被写体情報を取得することとしてもよい。また、本発明において、電子機器は、前記被写体情報の送信要求を受信する受信部（１１１，１１２）を備え、前記送信部は、前記受信部が前記送信要求を受信した場合に、前記被写体情報を前記外部機器に送信することとしてもよい。
【０００８】
また、本発明において、前記情報取得部は、前記ユーザから前記被写体までの距離情報を前記被写体情報として取得することとしてもよい。また、前記情報取得部は、前記被写体の撮影に用いられるシャッタスピード値、絞り値、及びＩＳＯ感度の少なくとも１つを設定するための情報を前記被写体情報として取得することとしてもよい。また、前記情報取得部は、前記被写体の種類を前記被写体情報として取得することとしてもよい。また、前記情報取得部は、前記撮像部が撮像した画像に含まれる文字から、前記被写体情報を取得することとしてもよい。
【０００９】
本発明の撮像装置（２０）は、被写体を撮像する撮像部（２０１）と、ユーザが見ている方向の撮像結果から得た前記被写体の撮像条件の設定に使用される被写体情報を外部機器（１０）から受信する受信部（２０８，２１３）と、前記受信部で受信した前記被写体情報に基づいて、前記撮像部による前記被写体の撮像条件を設定する撮像条件設定部（２１３）と、を備える。
【００１０】
この場合において、前記撮像条件設定部は、前記被写体情報に基づいて、前記撮像部の合焦位置及び撮像倍率の少なくとも一方を設定することとしてもよい。また、本発明において、撮像装置は、前記撮像装置に対する前記ユーザの所定の動作又は操作を検出する検出部（２１１，２１３）と、前記検出部により前記ユーザの所定の動作又は操作が検出された場合に、前記外部機器に前記被写体情報の送信を要求する要求部（２１３）と、を備えていてもよい。また、前記検出部は、前記撮像装置の電源を入れる操作と、前記ユーザの撮像に関連する動作との少なくとも一方を検出することとしてもよい。
【００１１】
また、本発明において、前記受信部は、前記ユーザから前記被写体までの距離情報を前記被写体情報として受信することとしてもよい。また、前記受信部は、前記被写体の撮影に用いられるシャッタスピード値、絞り値、及びＩＳＯ感度の少なくとも１つを設定するための情報を前記被写体情報として受信することとしてもよい。また、前記受信部は、前記被写体の種類を前記被写体情報として受信することとしてもよい。
【００１２】
本発明の電子機器（３０）は、ユーザが見ている方向を撮像した画像を取得する画像取得部（３０１，３０３）と、前記画像から、被写体の撮像条件の設定に使用される被写体情報を取得する情報取得部（３０３）と、前記情報取得部により取得した前記被写体情報を外部機器に送信する送信部（３０１，３０３）と、を備える。
【００１３】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１４】
本発明の電子機器及び撮像装置は、適切な撮像条件で被写体を撮像できるようユーザを支援することができるという効果を奏する。
【図面の簡単な説明】
【００１５】
【図１】第１の実施形態に係る撮像システムの構成を示すブロック図である。
【図２】装着型機器の一例を示す斜視図である。
【図３】図３（Ａ）は、撮像装置の一例を示す正面図であり、図３（Ｂ）は撮像装置の一例を示す背面図である。
【図４】図４（Ａ）は第１の実施形態に係る撮像装置が実行する処理の一例を示すフローチャートであり、図４（Ｂ）は第１の実施形態に係る装着型機器が実行する処理の一例を示すフローチャートである。
【図５】図５は、シチュエーション特定テーブルの一例を示す図である。
【図６】図６（Ａ）及び図６（Ｂ）は、図４（Ａ）及び図４（Ｂ）の処理を説明するための図である。
【図７】撮像条件設定テーブルの一例を示す図である。
【図８】図８（Ａ）は第２の実施形態に係る撮像装置が実行する処理の一例を示すフローチャートであり、図８（Ｂ）は第２の実施形態に係る装着型機器が実行する処理の一例を示すフローチャートである。
【図９】図８（Ａ）及び図８（Ｂ）の処理を説明するための図である。
【図１０】変形例に係る撮像システムの構成の一例を示すブロック図である。
【発明を実施するための形態】
【００１６】
《第１の実施形態》
以下、第１の実施形態について、図１〜図７に基づいて、詳細に説明する。図１には、第１の実施形態に係る撮像システム５００の構成がブロック図にて示されている。撮像システム５００は、適切な撮像条件で被写体を撮像できるようにユーザを支援するシステムである。
【００１７】
図１に示すように、撮像システム５００は、装着型機器１０と、撮像装置２０と、を備える（利用する）。
【００１８】
（装着型機器１０）
装着型機器１０は、ユーザが身体（顔）に装着する眼鏡型の端末である。装着型機器１０は、図１に示すように、撮像部１０１と、表示部１０２と、操作部１０３と、マイク１０４と、スピーカ１０５と、方位センサ１０６と、位置検出部１０７と、視線検出部１０９と、記憶部１１０と、通信部１１１と、制御部１１２と、を備える。なお、図２には、装着型機器１０が斜視図にて示されている。図２に示すように、装着型機器１０は、眼鏡型のフレーム１２０を備えている。なお、図１において図示され、図２において図示されていない装着型機器１０の構成は、フレーム１２０の内部や、フレーム１２０の一部に設けられているものとする。
【００１９】
撮像部１０１は、レンズ、撮像素子、画像処理部などを備え、静止画や動画を撮像するものである。撮像部１０１は、図２に示すようにフレーム１２０の端部近傍（ユーザの右目近傍）に設けられている。このため、ユーザが装着型機器１０を装着した状態では、ユーザが向いている（見ている）方向の画像を撮像することができる。
【００２０】
表示部１０２は、フレーム１２０内部又はフレーム１２０近傍に設けられたプロジェクタと、プロジェクタからの投影像をユーザの目に導くためのプリズムとを有している。表示部１０２は、制御部１１２の制御の下、各種情報を表示する。
【００２１】
操作部１０３は、フレーム１２０に設けられたタッチパッドであり、ユーザの指の動きを検知して、ユーザからの操作を受け付け、受け付けた操作情報を制御部１１２に送信する。なお、撮像部１０１、表示部１０２、操作部１０３などについては、例えば米国特許出願公開第２０１３／００４４０４２号明細書にもその詳細が開示されている。
【００２２】
マイク１０４は、フレーム１２０に設けられ、ユーザが発した音声を収集する。マイク１０４が収集した音声は、不図示の音声認識部により音声認識され、音声認識結果は、制御部１１２に送信される。制御部１１２は、音声認識結果に基づく処理（例えば、コマンドの実行処理など）を実行する。なお、制御部１１２が音声認識を実行してもよい。
【００２３】
スピーカ１０５は、例えば、フレーム１２０に設けられ、制御部１１２の制御の下、音声を出力する音声出力装置である。なお、スピーカ１０５としては、イヤホンやヘッドホンのほか、指向性があり、主に装着型機器１０を装着するユーザの耳に向けて音声情報を提供することが可能なスピーカなどを採用することができる。
【００２４】
方位センサ１０６は、たとえば地磁気に基づいて、装着型機器１０が向いている方向を検出する。本実施形態では、方位センサ１０６は、装着型機器１０の撮像部１０１が向いている方向、すなわち、装着型機器１０を装着したユーザが向いている（見ている）方向を検出し、制御部１１２に出力する。
【００２５】
位置検出部１０７は、例えば、ＧＰＳ（Global Positioning System）センサを有しており、装着型機器１０の位置を検出し、装着型機器１０の位置情報（緯度、経度）を制御部１１２に出力する。
【００２６】
視線検出部１０９は、赤外線照射部と、赤外線受光部と、を有する。視線検出部１０９は、赤外線照射部から眼球に対して赤外線を照射し、眼球にて反射した赤外線を赤外線受光部において受光する。そして、赤外線受光部における受光結果に基づいて、装着型機器１０を装着したユーザの視線方向を検出する。なお、視線検出部１０９は、一例として図２における撮像部１０１の裏側（顔側）に設けられているものとする。
【００２７】
記憶部１１０は、例えば、フラッシュメモリ等の不揮発性の半導体メモリであり、撮像部１０１が撮像した画像データや、表示部１０２に表示する表示データなどを記憶する。
【００２８】
通信部１１１は、他の機器と無線通信（携帯電話回線や無線ＬＡＮ（Local Area Network）等を用いた通信）や近接通信（例えば、例えばＢｌｕｅｔｏｏｔｈ（登録商標）、ＲＦＩＤ(Radio Frequency Identification)、ＴｒａｎｓｆｅｒＪｅｔ（登録商標））を行う。本第１の実施形態では、通信部１１１は、撮像装置２０との間で通信を行うものとする。なお、通信部１１１は、ユーザ（人体）を介して通信する人体通信により撮像装置２０と通信をおこなってもよい。この場合、フレーム１２０のユーザと接触する部分に人体通信用の電極を配置すればよい。なお、人体通信には、人体に微弱な電流を流して、その電流を変調して情報を伝達する電流方式や、人体の表面に誘起する電界を変調して情報を伝達する電界方式などがあり、いずれの方式を用いることも可能である。
【００２９】
制御部１１２は、装着型機器１０全体を統括的に制御する。制御部１１２は、ＣＰＵ（Central Processing Unit）、ＲＡＭ（Random Access Memory）、ＲＯＭ（Read Only Memory）等を備える。制御部１１２が実行する処理の詳細については後述する。
【００３０】
（撮像装置２０）
撮像装置２０は、例えば、カメラや、撮像機能を有する携帯電話、スマートフォン、タブレット型端末などである。本実施形態では、撮像装置２０は、カメラであるものとして説明を行う。なお、図３（Ａ）には、撮像装置２０の正面図が、図３（Ｂ）には、撮像装置２０の背面図が示されている。撮像装置２０は、一眼レフカメラ、ミラーレスカメラ、およびコンパクトカメラのいずれであってもよいが、本実施形態では、図３（Ａ）及び図３（Ｂ）に示すように、コンパクトカメラであるものとする。
【００３１】
撮像装置２０は、図１、図３（Ａ）及び図３（Ｂ）に示すように、レンズ部２０１、レンズ駆動部２０２、撮像素子２０３、Ａ／Ｄ（Analog/Digital）変換部２０４、画像処理部２０５、表示部２０６、操作部２０７、通信部２０８、電源回路２０９、電池２１０、センサ２１１、記憶部２１２、及び制御部２１３を備える。
【００３２】
レンズ部２０１は、ズームレンズやフォーカシングレンズを含む複数のレンズ群で構成され、被写体像を撮像素子２０３の撮像面に結像させる。
【００３３】
レンズ駆動部２０２は、例えばモータやアクチュエータなどを備え、ズームやフォーカシングを行うためにレンズ部２０１を駆動する。例えば、レンズ駆動部２０２は、後述する操作部２０７に含まれるレリーズスイッチ２０７Ａ（図３（Ａ）参照）の操作に応じてフォーカシング（オートフォーカス）を行うためにレンズ部２０１のフォーカシングレンズを駆動する。
【００３４】
撮像素子２０３は、受光素子が撮像面に二次元配列されたＣＭＯＳ（Complementary Metal Oxide Semiconductor）イメージセンサ等を備え、アナログ画像信号を生成する。
【００３５】
Ａ／Ｄ変換部２０４は、撮像素子２０３が生成したアナログ画像信号をデジタル画像信号に変換し、画像処理部２０５および制御部２１３に出力する。
【００３６】
画像処理部２０５は、Ａ／Ｄ変換部２０４から入力されたデジタル画像信号に対して、各種の画像処理（色補間処理、階調変換処理、輪郭強調処理、ホワイトバランス調整処理、画像圧縮処理、画像伸張処理など）を行う。画像処理部２０５によって処理された画像データ（例えば、サムネイル表示用データや、このサムネイル表示用データよりも解像度の高い本画像データなど）は、制御部２１３の制御の下、表示部２０６に表示されたり、記憶部２１２に記憶される。
【００３７】
表示部２０６は、例えば、ＬＣＤ（Liquid Crystal Display）であり、図３（Ｂ）に示すように、レンズ部２０１と反対側の面に設けられる。表示部２０６は、撮像装置２０に対する各種の設定情報や、撮像装置２０を操作するための操作メニュー、アイコンなどを表示する。また、表示部２０６は、画像処理部２０５の出力に基づくライブビュー画像（スルー画像）や、後述する記憶部２１２に記録されている静止画像や動画像を表示する。
【００３８】
操作部２０７は、ユーザから撮像装置２０に対する操作を受け付ける操作部材であって、レリーズスイッチ２０７Ａ、動画撮像スイッチ２０７Ｂ、メニュスイッチ２０７Ｃ、十字スイッチ（マルチセレクター）２０７Ｄ、削除スイッチ２０７Ｅ、及びズームレバー２０７Ｆ等を含む（図３（Ａ），図３（Ｂ）参照）。レリーズスイッチ２０７Ａは、上面に設けられており、例えば、静止画像の撮像を指示する場合にユーザによって操作される（押される）。動画撮像スイッチ２０７Ｂは、動画の撮像を指示する場合にユーザによって操作される（押される）。メニュスイッチ２０７Ｃは、表示部２０６に、撮像条件を設定するための操作メニュー等を表示させる場合にユーザによって操作される。十字スイッチ２０７Ｄは、中央部のＯＫスイッチと、周辺部の上下左右のスイッチとを有し、ユーザは、表示部２０６に表示された操作メニューから、十字スイッチ２０７Ｄを操作することによってあるメニューを選択し、撮像条件の設定を行う。削除スイッチ２０７Ｅは、撮像装置２０が撮像した画像を再生する再生モードにある場合に、十字スイッチ２０７Ｄの操作により選択された画像を削除するためのスイッチである。ズームレバー２０７Ｆは、ズーム位置を変更するためのレバーであり、ユーザが、ズームレバーを動かすとレンズ駆動部２０２がレンズ部２０１を駆動して、ズーム位置を変更する。
【００３９】
なお、操作部２０７は、表示部２０６上に設けられ、又は表示部２０６内に組み込まれたタッチパネルを備えていてもよい。この場合、タッチパネルは、表示部２０６の表面に対するユーザの接触操作を検出し、種々の情報入力を受け付ける。すなわち、ユーザは、表示部２０６に表示された操作メニューやアイコンに触れる動作を行うことで、撮像装置２０を操作することができる。
【００４０】
通信部２０８は、他の機器と無線通信（携帯電話回線や無線ＬＡＮ等を用いた通信）や近接通信（例えば、例えばＢｌｕｅｔｏｏｔｈ（登録商標）、ＲＦＩＤ、ＴｒａｎｓｆｅｒＪｅｔ（登録商標））を行う。本第１の実施形態では、通信部２０８は、装着型機器１０との間で通信を行うものとする。なお、通信部２０８は、人体通信により装着型機器１０と通信してもよい。この場合、例えば、撮像装置２０の筐体の外側でユーザと接触する部分に人体通信用の電極を配置すればよい。
【００４１】
電源回路２０９は、例えばリチウムイオン電池等の二次電池である電池２１０と接続され、電池２１０で生成された電圧を制御部２１３等の各回路で使用される電圧に変換し、各回路に供給する。なお、本実施形態においては、電源回路２０９は、撮像装置２０のメイン電源がオフの場合にも、通信部２０８、制御部２１３、及びセンサ２１１に電源を供給しているものとする。
【００４２】
センサ２１１は、例えば、加速度センサ２１１Ａと、圧力センサ２１１Ｂと、角速度センサ２１１Ｃと、を備える。加速度センサ２１１Ａは、撮像装置２０の加速度を検出し、検出値を制御部２１３に出力する。加速度センサ２１１Ａには、圧電素子や歪ゲージなどを用いることができる。加速度センサ２１１Ａの軸数としては１〜３軸のいずれかを適宜選択すればよく、その数も任意に設定することができる。制御部２１３は、加速度センサ２１１Ａの検出値に基づいて、ユーザが撮像装置２０を保持したか否かを判断する。
【００４３】
圧力センサ２１１Ｂは、図３（Ａ）に示すように、ユーザが撮像装置２０を用いて撮像を行う際に手で保持する部分（以後、グリップ部分と記載する）に設けられ、グリップ部分にかかる圧力を検出し、検出値を制御部２１３に出力する。制御部２１３は、圧力センサ２１１Ｂの検出値に基づき、ユーザがグリップ部分を握ったか否かを判断する。
【００４４】
角速度センサ２１１Ｃは、撮像装置２０に生じた角速度を検出し、検出値を制御部２１３に出力する。制御部２１３は、角速度センサ２１１Ｃで検出された角速度に基づいて、レンズ駆動部２０２を介してレンズ部２０１が備えるレンズの一部をシフトさせることにより手ブレ補正を行う。これに代えて、制御部２１３は、撮像素子２０３をシフトさせることにより手ブレ補正を行ってもよい。
【００４５】
記憶部２１２は、例えば、撮像装置２０に内蔵された不揮発性の半導体メモリやハードディスクであり、静止画のデータや動画のデータを記憶する。また、記憶部１１０は、後述する撮像条件設定テーブル（図７参照）を記憶する。なお、静止画のデータや動画のデータについては、不図示のスロットルに挿入され、撮像装置２０から着脱可能なＳＤカード等に記憶してもよい。
【００４６】
制御部２１３は、撮像装置２０全体を統括的に制御する。制御部２１３は、ＣＰＵ、ＲＡＭ、ＲＯＭ等を備える。
【００４７】
（撮像システム５００の処理）
次に、図４（Ａ）及び図４（Ｂ）を参照して、撮像システム５００が実行する処理について説明する。図４（Ａ）は、撮像装置２０が実行する処理の一例を示すフローチャートであり、図４（Ｂ）は、装着型機器１０が実行する処理の一例を示すフローチャートである。
【００４８】
本実施形態において、図４（Ａ）及び図４（Ｂ）の処理は、撮像装置２０の通信部２０８と装着型機器１０の通信部１１１との間で近接通信が成立すると開始される。なお、上述したように、撮像装置２０のメイン電源がオフの場合にも、撮像装置２０の通信部２０８には、電源回路２０９を介して電源が供給されているため、通信部１１１との近接通信が可能となっている。また、撮像装置２０と通信する装着型機器１０は、例えば装着型機器１０と撮像装置２０とを接触させたり、近接させたりして予めペアリングされており、ペアリング情報は、撮像装置２０と装着型機器１０とが保持しているものとする。なお、前述の近接通信や人体通信の成立により撮像装置２０と装着型機器１０とがペアリングを行うようにしてもよい。また、装着型機器１０と撮像装置２０との一方の電源がオフのときに近接通信や人体通信の成立により電源がオフの装置の電源をオンするようにしてもよい。この場合、電源がオフの機器（装置）は電源がオンの機器（装置）との接触や近接時に電源がオンの機器（装置）から発生する磁界を起電力として起動するようにすれば、一方の通信部に常に電源を供給する必要がなくなる。本実施形態においてペアリングとは、複数の装置間の協働処理を実行され得る状態にすることである。
【００４９】
図４（Ａ）の処理では、まず、撮像装置２０の制御部２１３は、ステップＳ１１において、ユーザの所定の動作又は操作を検出するまで待機する。本実施形態では、制御部２１３は、ユーザが撮像装置２０を用いて撮像を行うための操作や動作を行うまで待機する。例えば、制御部２１３は、撮像装置２０のメイン電源がオンされたか否かを判断する。また、制御部２１３は、加速度センサ２１１Ａからの出力値が所定のしきい値を超えたか否かに基づいて、ユーザが撮像装置２０を保持したか否かを判断する。また、制御部２１３は、圧力センサ２１１Ｂからの出力に基づいて、ユーザが撮像装置２０のグリップ部分を握ったか否かを判断する。そして、上記の操作又は動作の少なくとも１つを検出した場合、ステップＳ１１の判断が肯定され、制御部２１３は、ステップＳ１３に移行する。
【００５０】
ステップＳ１３に移行すると、制御部２１３は、装着型機器１０に被写体情報の送信を要求する。ここで、被写体情報とは、撮像装置２０が撮像を行う場合の撮像条件を設定するための情報である。本実施形態において、撮像条件とは、シャッタスピード値、絞り値、ＩＳＯ感度、撮像倍率、及び合焦位置を含む各種設定の設定値の他、撮像装置２０が備える撮影モードの設定を含む。
【００５１】
制御部２１３は、装着型機器１０に被写体情報の送信を要求すると、ステップＳ１５において、装着型機器１０から被写体情報を受信するまで待機する。
【００５２】
一方、装着型機器１０の制御部１１２は、図４（Ｂ）のステップＳ３１において、撮像部１０１が撮像した画像を入力する。この場合、撮像部１０１は撮像装置２０の制御部２１３からの要求を受けてから撮像を行ってもよく、ユーザの位置や方位に大きな変化がなければ要求を受ける前に撮像した画像を用いるようにしてもよい。
【００５３】
続くステップＳ３３において、制御部１１２は、ステップＳ３１で入力した画像に対して公知の文字認識処理を行い、画像内に含まれる文字を取得する。
【００５４】
次いで、ステップＳ３５において、制御部１１２は、ステップＳ３３で取得された文字の中に、所定の文字が含まれるか否かを判断する。具体的には、制御部１１２は、ステップＳ３３で取得された文字の中に、ユーザが撮像を行うシチュエーションを特定するための文字が含まれるか否かを判断する。ここで、本実施形態では、制御部１１２は、図５のシチュエーション特定テーブルを用いて、当該判断を行う。シチュエーション特定テーブルは、記憶部１１０に記憶されており、図５に示すように文字及びシチュエーションの項目を備える。文字の項目には、シチュエーションを特定するための文字の情報が登録される。シチュエーションの項目には、画像内に含まれる文字から推定される、これから撮像が行われるシチュエーションが登録される。制御部１１２は、シチュエーション特定テーブルの文字の項目に登録されている文字（例えば、「入学式」や「卒業式」など）が、ステップＳ３３で取得された文字の中に含まれているか否かを判断する。ここで、制御部１１２が、図６（Ａ）に示す画像を撮像部１０１から入力した場合には、当該画像中に、シチュエーション特定テーブル（図５）の文字の項目に登録されている「入学式」の文字が含まれるため、ステップＳ３７に移行する。なお、制御部１１２は「入学式」や「卒業式」などの文字情報を、校門や校舎などで事前に取得するようにしてもかまわない。
【００５５】
ステップＳ３７に移行すると、制御部１１２は、ステップＳ３３で取得された文字から、これから撮像装置２０を用いて撮像が行われるシチュエーションを特定し、当該シチュエーションを被写体情報として取得する。本実施形態では、制御部１１２は、上述したシチュエーション特定テーブル（図５）を用いて、シチュエーションを特定する。ここで、例えば、画像内に「入学式」又は「卒業式」の文字が含まれる場合、制御部１１２は、図５のシチュエーション特定テーブルに基づき、これから撮像が行われるシチュエーションが「屋内式典」であると特定する。また、画像内に「運動会」又は「体育大会」の文字が含まれる場合、制御部１１２は、図５のシチュエーション特定テーブルに基づき、これから撮像が行われるシチュエーションが「運動会」であると特定する。さらに、画像内に「発表会」又は「学芸会」の文字が含まれる場合、制御部１１２は、図５のシチュエーション特定テーブルに基づき、これから撮像が行われるシチュエーションが「発表会」であると特定する。
【００５６】
一方、ステップＳ３３で取得された文字の中に所定の文字が含まれなかった場合、すなわち、ステップＳ３５の判断が否定された場合、制御部１１２は、ステップＳ３９に移行する。
【００５７】
ステップＳ３９に移行すると、制御部１１２は、撮像部１０１が撮像した画像に含まれる被写体の種類（子供、スポーツ選手、電車等）を特定し、被写体情報として取得する。例えば、制御部１１２は、視線検出部１０９からユーザの視線方向の情報（視線データ）を取得し、図６（Ｂ）に示すように、撮像部１０１から入力した画像データに、同一のタイミングで取得された視線データを付加することで、ユーザが当該画像内で注視している範囲を特定する。そして、制御部１１２は、ユーザが注視している範囲に存在する人物や物体を被写体として決定し、当該被写体が、子供であるのか、スポーツ選手であるのか、あるいは電車であるのかといった被写体の種類を特定し、被写体情報として取得する。被写体が子供であるのか否かは、公知の顔認識技術により被写体の顔部分の画像（顔画像と記載する）を取得し、当該顔画像に基づいて被写体の年齢を推定することにより判断することができる。顔画像を用いた年齢の推定については、例えば、特開２０１２−２０８７１０号公報に記載されている。また、被写体がスポーツ選手や電車であるのか否かは、例えば、記憶部１１０に記憶されたスポーツ選手のテンプレート画像や電車のテンプレート画像と、被写体画像とのパターンマッチングを行うことにより判断することができる。
【００５８】
続くステップＳ４１において、制御部１１２は、撮像装置２０から被写体情報の送信要求を受信したか否かを判断する。ここでの判断が否定された場合、制御部１１２は、ステップＳ３１に戻るが、肯定された場合は、ステップＳ４３に移行し、ステップＳ３７又はステップＳ３９で取得した被写体情報を撮像装置２０に送信し、図４（Ｂ）の全処理を終了する。
【００５９】
一方、撮像装置２０の制御部２１３は、図４（Ａ）のステップＳ１５において、被写体情報を受信するまで待機しているので、図４（Ｂ）のステップＳ４３が実行されたタイミングでステップＳ１７に移行する。
【００６０】
ステップＳ１７に移行すると、制御部２１３は、装着型機器１０から受信した被写体情報に基づいて撮像装置２０の撮像条件を設定する。本実施形態において、制御部２１３は、図７に示す撮像条件設定テーブルを用いて、撮像装置２０の撮像条件を決定し、設定する。本実施形態において、撮像条件設定テーブルは、図７に示すように、被写体種類、シチュエーション、及び撮像条件の項目を備える。被写体種類の項目には、撮像装置２０が撮像する被写体の種類が登録される。シチュエーションの項目には、撮像装置２０が撮像を行うシチュエーションが登録される。撮像条件の項目には、被写体種類の項目に登録された被写体を撮像するのに適した撮像条件、又は、シチュエーションの項目に登録されたシチュエーションでの撮像に適した撮像条件が登録される。被写体種類、シチュエーション、及び被写体種類やシチュエーションに対する撮像条件は、撮像装置２０の出荷時に初期設定されていてもよいし、ユーザが撮像装置２０に対してマニュアルで登録してもよい。
【００６１】
例えば、制御部２１３が、被写体種類「子供」を被写体情報として装着型機器１０から受信したとする。この場合、制御部２１３は、撮像条件設定テーブル（図７参照）に基づいて、撮影モードを「シャッタ速度優先モード」に設定し、シャッタスピード値を「１／２５０」に設定する。なお、「シャッタ速度優先モード」とは、シャッタスピードはユーザが決定し絞り値は撮像装置２０が決定する撮影モードである。また、例えば、制御部２１３が、装着型機器１０から被写体情報としてシチュエーション「屋内式典」を受信したとする。この場合、制御部２１３は、撮像条件設定テーブルに基づいて、撮像モードを「絞り優先モード」に設定するとともに、撮像装置２０が撮像する際に発生する音を小さくすることができる「サイレントモード」を設定する。なお、「絞り優先モード」とは、シャッタースピードは撮像装置２０が決定し絞り値はユーザが決定する撮影モードである。また、例えば、制御部２１３が、装着型機器１０から被写体情報としてシチュエーション「運動会」を受信したとする。この場合、制御部２１３は、撮像条件設定テーブルに基づいて、撮像モードを、シャッタスピード等がスポーツシーンの撮影に適した設定となっている「スポーツモード」に設定する。これにより、ユーザは手動による撮影モードの設定や、シャッタスピード値の設定をしなくても、撮像シーンに適した撮像を行うことが可能となり、シャッターチャンスを逃す等の事態を防止することができる。なお、制御部２１３は被写界に光を発光する不図示の閃光装置の発光や、発光禁止などもシチュエーションに応じて設定するようにしてもよい。この場合、装着型機器１０のマイク１０４が、閃光装置を用いた撮影はご遠慮くださいといった音声を入力した場合に、制御部２１３は不図示の閃光装置の発光を禁止するようにすればよい。
【００６２】
続くステップＳ１９において、制御部２１３は、レリーズスイッチ２０７Ａが押下げられるまで待機する。そして、レリーズスイッチ２０７Ａが押下げられたタイミングで、ステップＳ２１に移行し、撮像を実行し、図４（Ａ）の全処理を終了する。図４（Ａ）の処理の終了後は、撮像装置２０は、ユーザの操作に基づいて撮像を行う通常の撮像処理を実行する。なお、撮像装置２０は、制御部２１３がユーザの所定の動作又は操作を検出した場合に、再度、ステップＳ１３からの処理を実行するようにしてもよい。
【００６３】
以上、詳細に説明したように、本第１の実施形態によれば、装着型機器１０の制御部２１３は、ユーザに装着される撮像部１０１の出力から、被写体の撮像条件の設定に使用される被写体情報を取得し、取得した被写体情報を通信部１１１を介して撮像装置２０に送信する。一方、撮像装置２０の制御部２１３は、装着型機器１０から得た被写体情報を装着型機器１０から通信部１１１を介して受信し、受信した被写体情報に基づいて、被写体の撮像条件を設定するので、ユーザは手動により撮像条件を設定しなくても、撮像シーンに適した撮像を行うことが可能となる。この結果、ユーザがシャッターチャンスを逃す等の事態を防止することができる。
【００６４】
また、本第１の実施形態によれば、装着型機器１０の撮像部１０１は、ユーザが見ている方向を撮像するので、これからユーザが撮像する可能性が高い方向を撮像した画像を用いて、被写体情報を取得することができる。
【００６５】
また、本第１の実施形態によれば、装着型機器１０は、ユーザの視線を検出する視線検出部１０９を備え、制御部１１２は、視線検出部１０９が検出したユーザの視線と、撮像部１０１が撮像した画像とから、被写体を特定し、被写体の種類を被写体情報として取得し、撮像装置２０に送信する。一方、撮像装置２０の制御部２１３は、通信部２０８を介して被写体の種類を被写体情報として受信し、当該被写体の種類に基づいて撮像条件を設定する。これにより、ユーザは、被写体の撮像に適した撮像条件が設定された撮像装置２０を使って撮像を行うことができ、例えば、ブレ等の少ない画像を撮像することができる。
【００６６】
また、本第１の実施形態によれば、撮像装置２０の制御部２１３は、撮像装置２０の電源を入れる操作と、加速度センサ２１１Ａ及び圧力センサ２１１Ｂの少なくとも一方を用いてユーザの撮像に関連する動作との少なくとも一方を検出した場合に、装着型機器１０に被写体情報の送信を要求する。一方、装着型機器１０の制御部１１２は、通信部１１１を介して、被写体情報の送信要求を受信した場合に、被写体情報を撮像装置２０に送信する。これにより、ユーザが撮像を行う直前の適切なタイミングで、装着型機器１０と撮像装置２０との間で、被写体情報の送受信が行われ、撮像装置２０に対し、ユーザが撮像を行う状況に適した撮像条件を設定することができる。
【００６７】
また、本第１の実施形態によれば、装着型機器１０の制御部１１２は、撮像部１０１が撮像した画像に含まれる文字から、撮像がされるシチュエーションを被写体情報として取得し、撮像装置２０に送信する。一方、撮像装置２０の制御部２１３は、装着型機器１０から受信したシチュエーションでの撮像に適した撮像条件を設定するので、ユーザは、撮像条件を手動で設定しなくても、撮像シーンに適した撮像を行うことができる。この結果、例えば、ボケやブレ等の少ない画像を撮像したり、撮像時のシャッタ音を抑えることで、シャッタ音によって式典の雰囲気を壊したり、他人に不快感を与えないようにすることができる。
【００６８】
なお、上記第１の実施形態において、装着型機器１０は、シチュエーション又は被写体種類のいずれかを被写体情報として撮像装置２０に送信していたが、シチュエーション及び被写体種類の両方を撮像装置２０に送信するようにしてもよい。この場合、図７では、被写体とシチュエーションとの組み合わせに基づいて、撮像条件が定義されていてもよい。
【００６９】
また、上記第１の実施形態において、装着型機器１０の制御部１１２が、撮像部１０１が撮像した画像データと視線検出部１０９から入力したユーザの視線データとに基づいて、シチュエーション又は被写体種類を特定していたが、シチュエーション及び被写体種類の特定を撮像装置２０の制御部２１３が実行してもよい。この場合、例えば、制御部１１２は、画像データに、同一のタイミングで取得された視線データを付加することで、ユーザが注視している範囲を示した画像データ（以下、視線画像データと呼ぶ）を作成し、撮像装置２０に被写体情報として送信する。例えば、制御部１１２は、図６（Ｂ）等に示すように、ユーザが見ている範囲を矩形領域にて示した視線画像データを作成し、撮像装置２０に送信する。撮像装置２０の制御部２１３は、装着型機器２０から受信した視線画像データに対し、上述したように文字認識処理や画像認識処理を行うことにより、シチュエーションや被写体種類を特定することができる。この場合、シチュエーション特定テーブル（図５）は、撮像装置２０の記憶部２１２に記憶しておけばよい。なお、視線データは、ユーザが注視している範囲を示した画像である必要はなく、ユーザが注視している範囲を示す座標データであっても良い。この場合、視線画像データは、画像データに座標データが付加された情報となる。座標データは、例えば、画像データのヘッダ部分に格納されるようにすることができる。
【００７０】
また、上記第１の実施形態において、撮像装置２０の制御部２１３が、装着型機器１０から受信したシチュエーションや被写体種類に基づいて、撮像条件を決定していたが、装着型機器１０の制御部１１２が撮像条件を決定し、当該撮像条件を被写体情報として撮像装置２０に送信してもよい。この場合、装着型機器１０の記憶部１１０に撮像条件設定テーブル（図７参照）を記憶し、制御部１１２は、当該撮像条件設定テーブルを参照して、撮像条件を決定すればよい。
【００７１】
また、上記第１の実施形態において、装着型機器１０の制御部１１２は、被写体種類を被写体情報として送信する場合に、当該被写体が動いているのか、静止しているのかの情報も併せて送信してもよい。この場合、例えば、撮像条件設定テーブル（図７参照）に、被写体の動きについての項目を追加し、被写体の種類と、被写体の動き（動いているのか、静止しているのか）との組み合わせに基づいて、撮像条件を指定するようにしてもよい。例えば、被写体種類が「子供」であり、被写体が動いている場合には、撮像条件として「シャッタ速度優先モード」と「シャッタスピード値：１／５００」とを指定し、被写体が動いていない場合には、「シャッタ速度優先モード」と「シャッタスピード値：１／１２５」とを指定するようにしてもよい。
【００７２】
また、上記第１の実施形態において、装着型機器１０の制御部１１２は、撮像部１０１が撮像した画像内に含まれる文字から、シチュエーションを特定していたが、これに限られるものではない。例えば、制御部１１２は、画像内に含まれる被写体が身につけている物品（例えば、紅白帽）や、画像内に含まれる物品（例えば、紅白幕や万国旗等）から、シチュエーションを特定してもよい。この場合、シチュエーションを特定するためのテンプレート画像（紅白帽の画像、紅白幕の画像、万国旗の画像等）を記憶部１１０に記憶しておき、制御部１１２は当該テンプレート画像と撮像部１０１が撮像した画像とをパターンマッチングすることにより、画像内にシチュエーションを特定できる物品が含まれているか否かを判断すればよい。また、この場合、図５のシチュエーション特定テーブルには、画像内に含まれる物品とシチュエーションとを組み合わせて登録しておけばよい。
【００７３】
《第２の実施形態》
次に、第２の実施形態について、図８（Ａ）、図８（Ｂ）、及び図９に基づいて詳細に説明する。第２の実施形態では、装着型機器１０の制御部１１２は、被写体までの距離情報と、露出値とを撮像装置２０に送信する。なお、第２の実施形態に係る撮像システムの構成は、第１の実施形態の図１に示す構成と同一又は同等であるため、図示及び説明を省略する。
【００７４】
（撮像システム５００の処理）
以下、第２の実施形態に係る撮像システム５００が実行する処理について説明する。図８（Ａ）は、撮像装置２０が実行する処理の一例を示すフローチャートであり、図８（Ｂ）は、装着型機器１０が実行する処理の一例を示すフローチャートである。なお、図８（Ａ）の撮像装置２０が実行する処理は、ステップＳ１１７を除き、図４（Ａ）の処理と同一であるため、図４（Ａ）に示す処理と同一の処理を行うステップについては、図４（Ａ）と同一のステップ番号を付し、その詳細な説明を省略する。
【００７５】
図８（Ｂ）の処理では、装着型機器１０の制御部１１２は、ステップＳ５１において、撮像部１０１が撮像した画像を入力する。
【００７６】
続くステップＳ５３において、制御部１１２は、ステップＳ５１で入力した画像が撮像されたタイミングと同一のタイミングで取得された視線データを視線検出部１０９から取得する。
【００７７】
続くステップＳ５５において、制御部１１２は、図９に示すように、撮像部１０１から入力した画像データに、視線検出部１０９から取得した視線データを付加することで、ステップＳ５１で入力した画像においてユーザが注視している人物や物体を被写体として特定する。図９の例では、電車が被写体として特定される。
【００７８】
次いで、ステップＳ５７において、制御部１１２は、ステップＳ５５で特定した被写体までの距離情報を被写体情報として取得する。図９の例では、制御部１１２は、電車までの距離情報を被写体情報として取得する。例えば、制御部１１２は、ステップＳ５５で特定した被写体にフォーカスを合わせるように撮像部１０１を制御し、撮像部１０１のフォーカス情報から距離情報を取得する。なお、撮像部１０１が、距離情報を持つ距離画像を取得できる撮像素子を備える場合には、制御部１１２は、当該距離画像から被写体までの距離情報を取得してもよい。なお、距離情報を持つ距離画像を取得できる撮像素子については、Wang Yibing; Ovsiannikov, I.; SeungHoon Lee; Yoondong Park; Chilhee Chung; Fossum, E. more authors，A 1.5Mpixel RGBZ CMOS image sensor for simultaneous color and range image capture，ISSCC 2012に記載されている。
【００７９】
続くステップＳ５９において、制御部１１２は、ステップＳ５１で入力した画像の露出値を被写体情報として取得する。
【００８０】
その後、制御部１１２は、図４（Ｂ）のステップＳ４１及びＳ４３と同様に、ステップＳ６１及びステップＳ６３の処理を実行し、図８（Ｂ）の全処理を終了する。
【００８１】
一方、撮像装置２０の制御部２１３は、ステップＳ１３において被写体情報の送信を要求した後、ステップＳ１５において、被写体情報として被写体までの距離情報と、露出値とを受信する。
【００８２】
続くステップＳ１１７において、制御部２１３は、被写体までの距離情報に基づいて、レンズ部２０１の合焦位置を決定し、当該合焦位置が実現されるようにレンズ駆動部２０２を介してレンズ部２０１が備えるフォーカスレンズを駆動する。また、制御部２１３は、例えば、被写体までの距離情報に基づいて、被写体の画像に占める割合が所定の割合（例えば、５０％）となるように撮像倍率を決定し、当該撮像倍率が実現されるようにレンズ駆動部２０２を介してレンズ部２０１を駆動する。この場合、制御部２１３は、被写体までの距離情報と撮像倍率とから、レンズ部２０１の合焦位置を計算により求め、当該合焦位置が実現されるようにレンズ駆動部２０２を介してレンズ部２０１が備えるフォーカスレンズを駆動してもよい。これにより、ユーザは、撮像倍率を変更するためにズームレバー２０７Ｆ（図３（Ａ）参照）を操作しなくても、適切な撮像倍率で被写体の撮像を実行することができる。特に、コンパクトカメラなどが採用する、モータなどの動力でズーミングをコントロールするパワーズームの場合、操作環等を用いたマニュアルズームの場合と比較して、所望の倍率を実現するまでにかかる時間が長い。したがって、所望の撮像倍率となるように予めレンズ駆動部２０２によりレンズ部２０１を駆動しておくことで、ユーザはズーム操作を行う必要がなくなり、シャッタチャンスを逃してしまう等の事態を防止することができる。
【００８３】
さらに、制御部２１３は、撮像装置２０が備える撮像レンズや撮像素子２０３の特性と、装着型機器１０の撮像部１０１が備える撮像レンズや撮像素子の特性との違いを考慮して、装着型機器１０から受信した露出値に基づいて、適正露出で画像が撮像されるように、シャッタスピード値、絞り値、及びＩＳＯ感度の少なくとも１つの設定を変更する。例えば、撮像装置２０にシャッタスピード及び絞り値を撮像装置２０が決定するプログラムオートモードが設定されている場合、制御部２１３は、シャッタスピード値、絞り値、及びＩＳＯ感度の少なくとも１つを設定する。また、撮像装置２０にシャッタ速度優先モードが設定されている場合、制御部２１３は、絞り値及びＩＳＯ感度の少なくとも１つの設定を変更する。また、例えば、撮像装置２０に絞り優先モードが設定されている場合、制御部２１３は、シャッタスピード値及びＩＳＯ感度の少なくとも１つの設定を変更する。これにより、ユーザは、シャッタスピード値、絞り値、及びＩＳＯ感度の設定を手動で行わなくても、レリーズスイッチ２０７Ａを押せば、適正露出で画像を撮像することができる。なお、装着型機器１０の撮像部１０１が備える撮像レンズや撮像素子の特性情報は、記憶部２１２に記憶しておけばよい。
【００８４】
以上、詳細に説明したように、本第２の実施形態によっても、ユーザが手動で撮像条件を設定しなくても、撮像シーンに適した撮像を行うことができ、シャッタチャンスを逃す等の事態を防止することができる。なお、制御部２１３による設定の変更項目をユーザが設定するようにして、撮像条件の一部を自動設定（手動設定）するようにしてもよい。
【００８５】
また、本第２の実施形態によれば、装着型機器１０の制御部１１２は、ユーザから被写体までの距離情報を被写体情報として取得し、撮像装置２０に送信する。一方、撮像装置２０の制御部２１３は、ユーザから被写体までの距離情報を被写体情報として受信し、当該距離情報に基づいて、合焦位置及び撮像倍率の少なくとも一方を決定し、レンズ駆動部２０２を介してレンズ部２０１を駆動して、当該合焦位置や撮像倍率を実現する。これにより、撮像装置２０の撮像倍率は、予め適切な撮像倍率となっており、ユーザは手動でズーム操作を行わなくても、適切な撮像倍率で被写体を撮像することができ、シャッタチャンスを逃す等の事態を防止することができる。
【００８６】
また、本第２の実施形態によれば、装着型機器１０の制御部１１２は、撮像部１０１が撮像した画像の露出値（被写体の撮影に用いられるシャッタスピード値、絞り値、及びＩＳＯ感度の少なくとも１つを設定するための情報）を被写体情報として取得し、撮像装置２０に送信する。一方、撮像装置２０の制御部２１３は、当該露出値を被写体情報として受信し、当該露出値に基づいて、シャッタスピード値、絞り値、及びＩＳＯ感度の少なくとも１つを設定する。これにより、ユーザは、手動でシャッタスピード値や絞り値、ＩＳＯ感度の設定しなくても、適正露出で画像を撮像することができ、シャッタチャンスを逃す等の事態を防止することができる。
【００８７】
なお、上記第２の実施形態において、装着型機器１０から受信した情報に基づいて、撮像装置２０の制御部２１３が、合焦位置、撮像倍率、シャッタスピード値、絞り値、及びＩＳＯ感度を決定し、設定していたが、装着型機器１０の制御部１１２がこれらの設定の設定値を決定し、被写体情報として撮像装置２０に送信するようにしてもよい。この場合、撮像装置２０の制御部２１３は、装着型機器１０から受信した合焦位置や撮像倍率を実現するように、レンズ駆動部２０２を介してレンズ部２０１を駆動する。また、制御部２１３は、装着型機器１０から受信したシャッタスピード値、絞り値、及びＩＳＯ感度に基づいて、撮像装置２０に設定されているシャッタスピード値、絞り値、及びＩＳＯ感度の設定を変更する。
【００８８】
また、上記第２の実施形態において、装着型機器１０の制御部１１２が、距離情報と露出値とを取得していたが、撮像装置２０の制御部２１３が、装着型機器１０から撮像部１０１が撮像した画像を通信部２０８を介して受信し、当該受信した画像のメタデータから、距離情報と露出値とを取得するようにしてもよい。
【００８９】
なお、理解の容易のために、装着型機器１０の制御部１１２は、被写体情報として、第１の実施形態ではシチュエーション又は被写体種類を取得し、第２の実施形態では距離情報及び露出値を取得していたが、シチュエーション、被写体種類、被写体までの距離情報、及び、露出値を被写体情報として取得してもよい。すなわち、制御部１１２は、図４（Ｂ）の処理及び図８（Ｂ）の処理の両方を実行してもよい。
【００９０】
また、上記第１及び第２の実施形態において、装着型機器１０は、眼鏡型の端末ではなくてもよい。例えば、体の任意の位置に装着可能な装着型端末であってもよく、その機能の一部が分離していてもよい。一例を挙げると、撮像部を備えたコンタクトレンズ型の端末として、他の機能を腕時計型の端末に持たせるようにしてもよい。
【００９１】
（変形例）
第１及び第２の実施形態では、撮像装置２０は被写体情報を装着型機器１０から受信していたが、サーバから受信するようにしてもよい。図１０は、第１及び第２の実施形態の変形例に係る撮像システム５００’の一例を示すブロック図である。
【００９２】
図１０に示すように、撮像システム５００’は、装着型機器１０及び撮像装置２０に加えて、サーバ３０を備える。装着型機器１０、撮像装置２０、及びサーバ３０は、無線通信や有線通信により、ネットワーク５０に接続されている。なお、装着型機器１０及び撮像装置２０は、第１の実施形態の装着型機器１０及び撮像装置２０と同一又は同等の構成を備えるため、その詳細な説明を省略する。
【００９３】
（サーバ３０）
サーバ３０は、通信部３０１及び制御部３０３を備える。通信部３０１は、ネットワーク５０を介して、装着型機器１０及び撮像装置２０と通信する。
【００９４】
制御部３０３は、ＣＰＵ、ＲＡＭ、及びＲＯＭ等を備え、サーバ３０を統括的に制御する。
【００９５】
（撮像システム５００’の処理）
撮像システム５００’では、装着型機器１０が、撮像部１０１が撮像した画像データ及び視線検出部１０９が検出したユーザの視線データに基づいて作成した視線画像データをサーバ３０に送信する。なお、装着型機器１０は、撮像部１０１が撮像した画像データ及び視線検出部１０９が検出したユーザの視線データとをサーバ３０に送信してもよい。撮像装置２０は、ユーザの所定の動作又は操作を検出した場合に、被写体情報の送信要求をサーバ３０へと送信し、サーバ３０から被写体情報を受信する。
【００９６】
サーバ３０の制御部３０３は、装着型機器１０から受信した視線画像データを用いて、図４（Ｂ）及び図８（Ｂ）の少なくとも一方の処理を実行して被写体情報を取得し、取得した被写体情報を撮像装置２０に送信する。
【００９７】
このように、変形例に係る撮像システム５００’においても、第１及び第２の実施形態と同様の効果を奏することができる。
【００９８】
なお、上記の処理機能は、コンピュータによって実現することができる。その場合、処理装置（ＣＰＵ）が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００９９】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１００】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１０１】
上述した実施形態は本発明の好適な実施の例である。但し、これに限定されるものではなく、本発明の要旨を逸脱しない範囲内において種々変形実施可能である。
【符号の説明】
【０１０２】
１０    装着型機器
２０    撮像装置
１０１  撮像部
１０９  視線検出部
１１１  通信部
１１２  制御部
２０１  レンズ部
２０８  通信部
２１３  制御部
２１１  センサ
【図１】
2015139169.tif 000003
【図２】
2015139169.tif 000004
【図３】
2015139169.tif 000005
【図４】
2015139169.tif 000006
【図５】
2015139169.tif 000007
【図６】
2015139169.tif 000008
【図７】
2015139169.tif 000009
【図８】
2015139169.tif 000010
【図９】
2015139169.tif 000011
【図１０】
2015139169.tif 000012